【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
情報記録が行われる記録層としての複数のレイヤを有し、該複数のレイヤに連続記録領域としてのトラックが形成されてトラック内にデータ記録がおこなわれる記録媒体に対し、情報記録を行う記録部と、
ホスト機器からの要求に応じて上記記録部に上記記録媒体への記録を実行させるとともに、上記記録媒体の或るレイヤについて、記録不能な状態にあると判断した場合に、当該レイヤにおける全てのトラックが記録不能であることを上記ホスト機器が認識できる状態とする制御部と、
を備えた記録装置。
【請求項２】
上記制御部は、或るレイヤについて、記録レーザパワー調整のためのテストライトエリアが使い切られた場合に、そのレイヤは記録不能な状態にあると判断する請求項１に記載の記録装置。
【請求項３】
上記制御部は、記録が不能な状態にあると判断したレイヤの全てのトラックについて、次記録アドレスを無効状態とすることで、当該レイヤにおける全てのトラックが記録不能であることを上記ホスト機器が認識できる状態とする請求項１又は請求項２に記載の記録装置。
【請求項４】
上記制御部は、記録が不能な状態にあると判断したレイヤの全てのトラックのステータスをクローズ状態とすることで、当該レイヤにおける全てのトラックが記録不能であることを上記ホスト機器が認識できる状態とする請求項１乃至請求項３のいずれかに記載の記録装置。
【請求項５】
上記制御部は、記録が不能な状態にあると判断したレイヤの全てのトラックの未記録領域サイズ情報を０とすることで、当該レイヤにおける全てのトラックが記録不能であることを上記ホスト機器が認識できる状態とする請求項１乃至請求項４のいずれかに記載の記録装置。
【請求項６】
上記制御部は、記録が不能な状態にあると判断したレイヤの全てのトラックの最終書込済みアドレス情報をトラック終端アドレスの値とすることで、当該レイヤにおける全てのトラックが記録不能であることを上記ホスト機器が認識できる状態とする請求項１乃至請求項５のいずれかに記載の記録装置。
【請求項７】
上記記録媒体の各レイヤには、管理情報を記録目的とする管理情報トラックと、ユーザデータを記録目的とするユーザデータトラックと、上記管理情報のミラーデータを記録目的とするミラートラックとが、少なくとも設定され、  
上記制御部は、記録が不能な状態にあると判断したレイヤにおいて、上記管理情報トラック、上記ユーザデータトラック、上記ミラートラックを含む全てのトラックについて、記録不能であることを上記ホスト機器が認識できる状態とする請求項１乃至請求項６のいずれかに記載の記録装置。
【請求項８】
上記制御部は、或るレイヤについての記録時の記録エラー又は交替処理の状況に基づいて、そのレイヤが記録不能な状態にあるか否かの判断を行う請求項１乃至請求項７のいずれかに記載の記録装置。
【請求項９】
情報記録が行われる記録層としての複数のレイヤを有し、該複数のレイヤに連続記録領域としてのトラックが形成されてトラック内にデータ記録がおこなわれる記録媒体に対し、ホスト機器からの要求に応じて情報記録を行うとともに、上記記録媒体の或るレイヤについて、記録不能な状態にあると判断した場合に、当該レイヤにおける全てのトラックが記録不能であることを上記ホスト機器が認識できる状態とする記録方法。
【手続補正２】
【補正対象書類名】明細書
【補正対象項目名】００６９
【補正方法】変更
【補正の内容】
【００６９】
フォーカスサーボ信号ＦＳ-svは、２軸ドライバ４１に供給される。２軸ドライバ４１は、フォーカスサーボ信号ＦＳ-svに基づくフォーカスドライブ信号ＦＤ-svを生成し、該フォーカスドライブ信号ＦＤ-svに基づき２軸アクチュエータ２１のフォーカスコイルを駆動する。
これにより、基準面用レーザ光についてのフォーカスサーボ制御、即ち基準面用レーザ光を基準面Ｒｅｆに合焦させるフォーカスサーボ制御が実現される。
【手続補正３】
【補正対象書類名】明細書
【補正対象項目名】００８４
【補正方法】変更
【補正の内容】
【００８４】
１層ディスクの場合は、物理的な記録領域としてレイヤＬ０のみであるため、必然的に図７Ｂのように、各トラックＴＫはレイヤＬ０に形成されることになる。
ここで図８に比較例としての多層ディスクの例を示す。
図８Ａの論理レイアウトは、図７Ａと概略同様となる。
図８Ｂに６層ディスクの場合の物理的な配置例を示している。レイヤＬ０〜Ｌ５の領域を用いて、図８Ａの論理レイアウトのトラック記録を実現している。レイヤＬ０〜Ｌ５を１つの物理的記録空間とし、トラックＴＫ＃１〜ＴＫ＃５を設定する。
この例では、トラックＴＫ＃１、ＴＫ＃２はレイヤＬ０内で設定され、トラックＴＫ＃３はレイヤＬ０〜Ｌ５の範囲にわたって設定される。そしてトラックＴＫ＃４，ＴＫ＃５はレイヤＬ５の後端領域に設定される。
つまりこの図８の例は、多層ディスクにおいて、１層ディスクに対応したファイルシステムを、そのまま各記録層全体に拡張して適用しただけのものとなる。
【手続補正４】
【補正対象書類名】明細書
【補正対象項目名】０１１２
【補正方法】変更
【補正の内容】
【０１１２】
図１４はフォーマットコマンドの際のドライブ制御部１０１の処理を示している。
フォーマットリクエストがあるとドライブ制御部１０１はステップＦ１０１で、多層記録媒体１のディスクパラメータを取得し、ステップＦ１０２でブランクディスクであるか否かを確認する。
ブランクディスクでなければ、ステップＦ１０２からＦ１０３に進み、現在装填されている多層記録媒体１は、フォーマットできない光ディスクであるとして、フォーマット処理を終える。
【手続補正５】
【補正対象書類名】明細書
【補正対象項目名】０１１９
【補正方法】変更
【補正の内容】
【０１１９】
図１５，図１６，図１７はファイルライトリクエストのコマンド発生に応じたドライブ制御部１０１の処理を示している。
ファイルライトリクエストがあるとドライブ制御部１０１はステップＦ２０１でファイルパラメータを取得し、ファイルサイズを確認する。即ち、多層記録媒体１の残容量に対して、今回要求されたユーザデータのファイルが記録可能であるか否かを判断する。
ファイルサイズが残容量を超えていれば、ステップＦ２０２からＦ２０３に進んで、ライトエラーとする。
ファイルサイズが残容量を超えていなければ、ドライブ制御部１０１はステップＦ２０２からＦ２０４に進んで、ライトエクステントサイズをセットする。即ちライトエクステントサイズ（連続記録するデータサイズ）としてファイルサイズの値をセットする。
【手続補正６】
【補正対象書類名】明細書
【補正対象項目名】０１３１
【補正方法】変更
【補正の内容】
【０１３１】
ここでステップＦ２６４で行われる次レイヤへのトラック設定の処理について説明する。
トラック設定の際には、１レイヤあたりのデータ容量を取得し、その値を用いてトラック分割を行う処理となる。ここで言うデータ容量とは、トラックとして使用できる領域の容量のことをいう。トラック分割とは、例えば図９Ｂの状態では過渡的にトラックＴＫ＃３がレイヤＬ５のトラックＴＫ＃４の直前までとされている状態から、このトラックＴＫ＃３を分割して、図１０Ａのように、レイヤＬ１にトラックＴＫ＃４、ＴＫ＃５、ＴＫ＃６を設定するという意味である。
【手続補正７】
【補正対象書類名】明細書
【補正対象項目名】０１５０
【補正方法】変更
【補正の内容】
【０１５０】
なお、ライトコマンド受信に応じて記録制御を行う際に、コントローラ４４はＯＰＣを実行させる場合がある。例えば多層記録媒体１が装填されてから或るレイヤへの最初の記録機会などでは、最適なレーザパワーが未知であるため、そのような場合は、このステップＦ３０１の段階で、ＯＰＣ実行制御を行う。
【手続補正８】
【補正対象書類名】明細書
【補正対象項目名】０１５１
【補正方法】変更
【補正の内容】
【０１５１】
続いてコントローラ４４はステップＦ３０２で、ライトコマンドに応じた実際のデータ記録制御を行う。即ち、該当するトラックのＮＷＡからのデータ記録を、記録再生処理部５０及び光ピックアップＯＰに実行させる。
なお実際には、ライトコマンドは、既に記録されているデータ書換を目的とする場合もある。その場合は、交替処理を利用したＰＯＷで記録を実行する。
また記録中に記録エラーが発生した場合、コントローラ４４は、所定回数を上限として記録リトライを行うこともある。さらに、ディスク上の欠陥等によりリトライを行っても記録ができない場合など、交替処理を行って記録を行う場合もある。
【手続補正９】
【補正対象書類名】明細書
【補正対象項目名】０１５７
【補正方法】変更
【補正の内容】
【０１５７】
コントローラ４４は、ステップＦ３０８の処理を行った場合は、その処理を完了後、ステップＦ３１０で記録正常終了とする。
またコントローラ４４は、ステップＦ３０６、Ｆ３０７の判断に該当しなかった場合は、ステップＦ３０８の処理を行わずにステップＦ３１０で記録正常終了とする。
【手続補正１０】
【補正対象書類名】図面
【補正対象項目名】図２０
【補正方法】変更
【補正の内容】
【図２０】
2014010847.tif 000001